(57)【要約】【課題】  電話番号データに対応する位置データが存在しない場合でも、電話番号と代表地点との関連付けを設定した特別なデータベースを用意することなく、代替目的地の検索が迅速にでき、検索の際に記憶装置の使用容量を抑制することができる「目的地検索装置及び目的地検索方法」を提供する。【解決手段】  入力された電話番号データに対応する位置データが存在しない場合に、電話番号データを構成する加入者番号データの何れかの桁の数値を変更して、この変更された電話番号データにより対応する位置データの取得を行うようにする。【選択図】        図１
2005121381.tif 000002
【特許請求の範囲】
【請求項１】
電話番号データを入力するための電話番号入力手段と、
複数の位置データをそれぞれ電話番号データに関連付けて記憶する記憶手段と、
前記電話番号入力手段によって入力された電話番号データに対応する位置データが前記記憶手段に存在するかを調べ、対応する位置データが存在すると判断された場合には、その位置データを前記記憶手段より取得し、対応する位置データが存在しないと判断された場合には、前記電話番号データを構成する加入者番号データの何れかの桁の数値を、対応する位置データが見つかるまで変更し、変更後の電話番号データに対応する位置データを前記記憶手段より取得する制御手段と、
を備えたことを特徴とする目的地検索装置。
【請求項２】
前記制御手段は、前記記憶手段より取得した位置データを利用して地図を表示することを特徴とする請求項１に記載の目的地検索装置。
【請求項３】
前記制御手段は、前記記憶手段より取得した位置データを利用して地点の名称を表示することを特徴とする請求項１又は請求項２に記載の目的地検索装置。
【請求項４】
目的地に到着したか否かを検出する到着検出手段を備え、
前記制御手段は、前記電話番号入力手段によって入力された電話番号に対応する位置データが存在しないと判断した場合に、前記電話番号入力手段によって入力された電話番号データを一時的に記憶しておき、前記到着検出手段によって真の目的地に到着したことが検出されたときに、前記真の目的地に該当する位置データを、前記一時的に記憶しておいた電話番号データに関連付けて第２の記憶手段に記憶することを特徴とする請求項１乃至請求項３何れか一項に記載の目的地検索装置。
【請求項５】
電話番号データの入力をコンピュータが受ける第一のステップと、
前記コンピュータが、前記第一のステップによって入力された電話番号データに対応する位置データが記憶手段に存在するかを調べる第二のステップと、
前記第二のステップによって、対応する位置データが存在すると判断された場合に、前記コンピュータが、その位置データを前記記憶手段から取得する第三のステップと、
前記第二のステップによって、対応する位置データが存在しないと判断された場合に、前記コンピュータが、前記電話番号データを構成する加入者番号データの何れかの桁の数値を、対応する位置データが見つかるまで変更する第四のステップと、
前記コンピュータが、前記第四のステップによって見つけられた位置データを取得する第五のステップと、
を備えたことを特徴とする目的地検索方法。
【請求項６】
前記第三のステップ又は前記第五のステップにて取得した位置データに対応する地図を表示するステップを備えたことを特徴とする請求項５に記載の目的地検索方法。
【請求項７】
前記第二のステップによって、対応する位置データが存在しないと判断された場合に、前記第一のステップで入力された電話番号データを一時的に記憶する第六のステップと、
前記第一のステップで入力された電話番号データに対応する真の目的地に到着したか否かを検出する第七のステップと、
前記第七のステップで前記真の目的地に到着したことが検出されたときに、前記真の目的地に該当する位置データを、前記第六のステップで一時的に記憶しておいた電話番号データに関連付けて第２の記憶手段に記憶する第八のステップとを備えたことを特徴とする請求項５又は請求項６に記載の目的地検索方法。
【発明の詳細な説明】
【技術分野】
【０００１】
本発明は、ナビゲーション装置などにおける目的地の検索装置及び検索方法に関し、特に、検索対象となる目的地の位置データを簡単に検索することができる目的地検索装置及び目的地検索方法に用いて好適なものである。
【背景技術】
【０００２】
一般に、ナビゲーション装置では、自立航法センサやＧＰＳ（Global Positioning System）受信機等を用いて車両の現在位置を検出し、その近傍の地図データを記録媒体から読み出して画面上に表示する。そして、画面上の所定箇所に自車位置を示す車両位置マークを重ね合わせて表示することにより、車両が現在どこを走行しているのかを一目で分かるようにしている。
【０００３】
また、最近のナビゲーション装置の殆どには、運転者が所望の目的地に向かって道路を間違うことなく容易に走行できるようにした経路誘導機能が搭載されている。この経路誘導機能では、地図データを用いて現在地から目的地までを結ぶ最もコストが小さな経路を自動探索し、その探索した経路を誘導経路として地図画面上で他の道路とは色を変えて太く描画する。また、車両が誘導経路上の案内交差点の一定距離内に近づいたときに、所定の交差点案内を行うことにより、運転者を目的地まで案内するようになっている。
【０００４】
なお、目的地には、運転者が最終的に行きたい目的地と、現在地から目的地までの間にある経由地とを含むものである。また、コストとは、距離をもとに、道路幅員、道路種別（一般道か高速道路か等）、右折及び左折、交通規制等に応じた所定の定数を乗じた値であり、誘導経路として適性の程度を数値化したものである。距離が同一の二つの経路があったとしても、例えば、運転者が高速道路を使用するか否か、時間を優先するか距離を優先するか等の探索条件を指定することにより、コストは異なったものとなる。経路探索処理においては、交差点や分岐など複数の道路が交わる点をノード、隣接するノード間を結ぶベクトルをリンクとして、現在地から目的地に至る様々な経路上のリンクコストを順次加算し、リンクコストの合計が最も小さい経路を誘導経路として選択する。
【０００５】
この種の車載用ナビゲーション装置では、通常、いくつかの目的地設定方法が用意されている。例えば、電話番号の数字（以下、電話番号データと呼ぶ）を入力することにより、特定の地点を検索するようにしたものが知られている（例えば特許文献１）。この特許文献１に記載の車載用ナビゲーション装置では、入力された電話番号データが記憶装置に収録されていない場合には、その電話番号データ中の局番（電話番号中の市外局番及び市内局番）データに対応した代表地点を検索し、その代表地点を中心とする地図データを表示して地図上の地点を設定している。
【特許文献１】特開平２−１８７８９８号公報
【０００６】
しかしながら、特許文献１に記載の車載用ナビゲーション装置では、全国の全ての局番データに対して、その局番データの代表地点を設定しなければならず、多くの調査工程や入力工程がかかってしまうという問題があった。また、記憶装置には、一般の電話番号データに対応した地点のデータの他に、局番データに対応した代表地点のデータを記憶しなければならないので、検索装置が記憶装置の記憶容量を多く必要としてしまうという問題があった。
【０００７】
また、電話番号データを入力して特定の地点を検索する機能を備えた車載用ナビゲーション装置において、ユーザによって入力された電話番号データが記憶装置に記憶されていない場合に、前記特許文献１と異なる処理を行うものもある（例えば、特許文献２）。この特許文献２に記載の車載用ナビゲーション装置では、入力された電話番号データが存在しない場合に、これと局番データが同一であり、加入者番号データが異なる複数の電話番号データを抽出する。そして、抽出した複数の電話番号データの中から、ユーザによって入力された電話番号データとの差が最小の電話番号データを選択する。更に、選択した電話番号データに対応する地点を検索して、その地点を含む地図データを表示する。
【特許文献２】特開平９−３１８３７８号公報
【０００８】
しかしながら、特許文献２に記載のナビゲーション装置では、入力した電話番号データに対して、局番データが同一で加入者番号データが異なる電話番号データを抽出するので、抽出した電話番号データが複数存在した場合に、データを一時保存するための記憶メモリ（ＲＡＭ等）が必要になってしまうという問題があった。また、抽出した電話番号データの中から入力された電話番号データとの差が最小の電話番号データを検索しているので、検索に時間がかかったり、メインプロセッサに負担がかかったりするという問題があった。
【発明の開示】
【発明が解決しようとする課題】
【０００９】
本発明は、このような問題を解決するために成されたものであり、電話番号データを用いて目的地の検索を行う際に、入力された電話番号データに該当する位置データが存在しない場合に、代表地点との関連付けを設定した特別なデータベースを用意することなく、代替の目的地を迅速に検索すると共に、検索の際に使用する記憶装置の容量を抑制できるようにすることを目的とする。
【課題を解決するための手段】
【００１０】
上記した課題を解決するために、入力された電話番号データに対応する位置データが存在しない場合に、その電話番号データを構成する加入者番号データの何れかの桁の数値を変更して再検索することで、変更後の電話番号データに対応する位置データの取得を行うようにしている。
【発明の効果】
【００１１】
上記のように構成した本発明によれば、入力された電話番号データに対応する位置データが存在しない場合でも、代替の目的地を迅速に検索すると共に、検索の際に使用する記憶装置の容量を抑制することができる。また、代表地点を検索してその周辺の地図を表示する訳ではないので、電話番号と代表地点との関連付けを設定した特別なデータベースを用意する必要もない。
【発明を実施するための最良の形態】
【００１２】
（第１の実施形態）
以下、本発明による第１の実施形態を図面に基づいて説明する。図１は、第１の実施形態による目的地検索装置の構成例を示す機能ブロック図である。図１において、１は電話番号入力部（特許請求の範囲の電話番号入力手段に該当する）であり、所望の目的地に対応する位置データを検索するための電話番号データを入力するためのものである。電話番号入力部１は、例えばテンキーを備えた操作子により構成される。２は表示部であり、電話番号データの入力画面や、入力された電話番号データをもとに設定された目的地の周辺の地図等を表示するためのものである。表示部２は、例えば液晶ディスプレイにより構成される。なお、電話番号入力部１は表示部２と連動して動作するタッチパネルとしても良い。
【００１３】
３は記憶部（特許請求の範囲の記憶手段に該当する）であり、複数の位置データが電話番号データに関連付けられて記憶されているものである。記憶部３は、例えばＤＶＤ−ＲＯＭにより構成される。４は制御部（特許請求の範囲の制御手段に該当する）であり、電話番号入力部１によって入力された電話番号データに基づいて、その電話番号データに対応する位置データを記憶部３から抽出する処理を行うものである。
【００１４】
この制御部４は、電話番号入力部１によって入力された電話番号データに対応する位置データが記憶部３に存在しない場合に、入力された電話番号データを構成する加入者番号データの何れかの桁の数値を変更することで、電話番号データを変更する。そして、変更された電話番号データに対応する位置データが存在するかを調べ、位置データが存在する場合には、その位置データを記憶部３より抽出する。
【００１５】
また、制御部４は、変更された電話番号データに対応する位置データが存在しない場合に、加入者番号データの何れかの桁の数値を再度変更し、別の変更された電話番号データを得る。そして、制御部４は、別の変更された電話番号データに対応する位置データが存在するかを調べる。このように、制御部４では、変更された電話番号データに対応する位置データが見つかるまで、前述した処理を繰り返し行う。なお、制御部４は、ＣＰＵやＲＡＭ、ＲＯＭ等により構成される。
【００１６】
図２は、本実施形態による目的地検索装置を適用した車載用ナビゲーション装置の全体構成例を示すブロック図である。図２において、１１はＤＶＤ−ＲＯＭ等の地図記録媒体であり、地図表示や経路探索などに必要な各種の地図データを記憶している。なお、ここでは地図データを記憶する記録媒体としてＤＶＤ−ＲＯＭ１１を用いているが、ＣＤ−ＲＯＭ、ハードディスクなどの他の記録媒体を用いても良い。１２はＤＶＤ−ＲＯＭ制御部であり、ＤＶＤ−ＲＯＭ１１からの地図データの読み取りを制御する。
【００１７】
このＤＶＤ−ＲＯＭ１１に記録された地図データの中には、種々の地点に対応する位置データが含まれている。位置データの中には、その地点に対応する電話番号データと関連付けられて記憶されているものがある。なお、ＤＶＤ−ＲＯＭ１１は、図1の記憶部３に該当する。
【００１８】
１３は車両の現在位置を測定する位置測定装置であり、自立航法センサ、ＧＰＳ受信機、位置計算用ＣＰＵ等で構成されている。自立航法センサは、所定走行距離毎に１個のパルスを出力して車両の移動距離を検出する車速センサ（距離センサ）と、車両の回転角度（移動方位）を検出する振動ジャイロ等の角速度センサ（相対方位センサ）とを含む。自立航法センサは、これらの車速センサ及び角速度センサによって車両の相対位置及び方位を検出する。
【００１９】
位置計算用ＣＰＵは、自立航法センサから出力される自車の相対的な位置及び方位のデータに基づいて、絶対的な自車位置（推定車両位置）及び車両方位を計算する。また、ＧＰＳ受信機は、複数のＧＰＳ衛星から送られてくる電波をＧＰＳアンテナで受信して、３次元測位処理あるいは２次元測位処理を行って車両の絶対位置及び方位を計算する（車両方位は、現時点における自車位置と１サンプリング時間ΔＴ前の自車位置とに基づいて計算する）。
【００２０】
１４は地図情報メモリであり、ＤＶＤ−ＲＯＭ制御部１２の制御によってＤＶＤ−ＲＯＭ１１から読み出された地図データを一時的に格納する。すなわち、ＤＶＤ−ＲＯＭ制御部１２は、位置測定装置１３から車両現在位置の情報を入力し、その車両現在位置を含む所定範囲の地図データの読み出し指示を出力することにより、地図表示や誘導経路の探索に必要な地図データ（各種地点の位置データや、それに対応する電話番号データを含む）をＤＶＤ−ＲＯＭ１１から読み出して地図情報メモリ１４に格納する。
【００２１】
１５はリモートコントローラ（リモコン）であり（図１の電話番号入力部１に該当する）、ユーザがナビゲーション装置に対して各種の情報（例えば、経路誘導の目的地）を設定したり、各種の操作（例えば、メニュー選択操作、拡大／縮小操作、手動地図スクロールなど）を行ったりするための各種操作子（ボタンやジョイスティック、電話番号データ等の数値を入力するためのテンキー等）を備えている。１６はリモコンインタフェースであり、リモコン１５からその操作状態に応じた赤外線信号を受信する。
【００２２】
１７はプロセッサ（ＣＰＵ）であり、ナビゲーション装置の全体を制御する。１８はＲＯＭであり、各種プログラム（電話番号対応位置データ抽出プログラムや電話番号データ変更プログラム、誘導経路探索処理プログラム等）を記憶する。１９はＲＡＭであり、各種処理の過程で得られるデータや、各種処理の結果得られるデータを一時的に格納する。
【００２３】
前述のＣＰＵ１７は、ＲＯＭ１８に記憶されている電話番号対応位置データ抽出プログラムに従って、リモコン１５より入力された電話番号データに対応する位置データを地図情報メモリ１４から抽出し目的地として設定する。また、入力された電話番号データに対応する位置データが抽出できない場合、ＣＰＵ１７は、ＲＯＭ１８に記憶されている電話番号データ変更プログラムに従って、リモコン１５より入力された電話番号データ中の加入者番号の数値を変更する。そして、その結果をＲＡＭ１９に記憶する。そして、ＣＰＵ１７は、ＲＯＭ１８に記憶されている電話番号対応位置データ抽出プログラムに従って、前記電話番号データ変更プログラムによって変更された電話番号データに対応する位置データを地図情報メモリ１４から抽出し目的地として設定する。
【００２４】
また、前述のＣＰＵ１７は、ＲＯＭ１８に記憶されている誘導経路探索処理プログラムに従って、地図情報メモリ１４に格納された地図データを用いて、現在地から目的地までを結ぶ最もコストが小さな誘導経路を探索する処理を行う。
【００２５】
２０は誘導経路メモリであり、ＣＰＵ１７が探索した誘導経路のデータを記憶する。誘導経路のデータは、現在地から目的地までの各ノードに対応させて、各ノードの位置と、各ノードが交差点か否かを表す交差点識別フラグとを記憶したものである。
【００２６】
２１は交差点拡大図メモリであり、誘導経路中にある全誘導対象交差点の拡大図のデータ（目的地に向けて車両を案内するための交差点拡大図、行き先、進行方向矢印の画像）を一時的に格納する。この交差点拡大図のデータも、ＤＶＤ−ＲＯＭ制御部１２の制御によってＤＶＤ−ＲＯＭ１１から適宜読み出される。
【００２７】
２２はディスプレイコントローラであり、地図情報メモリ１４に格納された地図データに基づいて、表示装置２８への表示に必要な地図画像データを生成する。２３はビデオＲＡＭであり、ディスプレイコントローラ２２によって生成された地図画像データを一時的に格納する。すなわち、ディスプレイコントローラ２２によって生成された地図画像データはビデオＲＡＭ２３に一時的に格納され、１画面分の地図画像データが読み出されて画像合成部２７に出力される。
【００２８】
２４はメニュー発生部であり、リモコン１５を用いて各種の操作を行う際に必要なメニュー画像を発生して出力する。２５は誘導経路発生部であり、誘導経路メモリ２０に記憶された誘導経路探索処理プログラムの処理結果を使用して、誘導経路のデータを発生する。すなわち、誘導経路メモリ２０に記憶された誘導経路データの中から、その時点でビデオＲＡＭ２３に描画された地図エリアに含まれるものを選択的に読み出し、地図画像に重ねて所定色で太く強調した誘導経路を描画する。また、自車が誘導経路前方にある案内交差点から所定距離内に接近したときに、交差点拡大図メモリ２１に格納された交差点拡大図データに基づいて、接近中の交差点の案内図の画像を生成して出力する。
【００２９】
２６はマーク発生部であり、マップマッチング処理された後の自車位置に表示する車両位置マークや、ガソリンスタンドやコンビニエンスストア等を表示する各種ランドマーク等を発生して出力する。なお、マップマッチング処理とは、地図情報メモリ１４に読み出されている地図データと、位置測定装置１３によって測定されたＧＰＳ受信機による自車位置及び車両方位のデータと、自立航法センサによる推定車両位置及び車両方位のデータとを用いて、自車の走行位置を地図データの道路上に位置修正する処理のことを言う。
【００３０】
前述の画像合成部２７は、各種画像を合成して出力する。すなわち、ディスプレイコントローラ２２によって読み出された地図画像データに、メニュー発生部２４、誘導経路発生部２５、マーク発生部２６のそれぞれから出力される各画像データを重ねて画像合成を行い、表示装置２８（図１の表示部２に該当する）に出力する。これにより、表示装置２８の画面上には、自車周辺の地図情報が車両位置マークや目的地マーク等と共に表示される。また、この地図上に誘導経路が表示されると共に、車両の位置が交差点近傍に近づいたときに交差点拡大図が表示される。
【００３１】
２９は音声発生部であり、交差点案内の音声や、各種操作案内の音声などを発声する。３０はスピーカであり、音声発生部２９により発生された音声を外部に出力する。３１はバスであり、前述した各種の機能構成どうしで互いにデータの授受を行うために使用される。
【００３２】
図３は、第１の実施形態による目的地検索装置の動作及び目的地検索方法を示すフローチャートである。まず、ＣＰＵ１７は、リモコン１５の操作により電話番号データが入力されたか否かを調べる（ステップＳ１）。電話番号データが入力されない場合（ステップＳ１にてＮＯ）、ステップＳ１の処理を繰り返す。
【００３３】
電話番号データが入力されると（ステップＳ１にてＹＥＳ）、ＣＰＵ１７は、地図情報メモリ１４に格納された地図データを用いて、電話番号データをキーとして位置データの検索を行う（ステップＳ２）。そして、この検索の結果、入力された電話番号データに対応する位置データがあるか否かを調べる（ステップＳ３）。
【００３４】
地図情報メモリ１４に記憶されている位置データの中には、電話番号データに関連付けられて記憶されているものもあるので、前記電話番号データに対応する位置データを検索することが可能である。しかしながら、全ての電話番号データに対応する位置データを地図情報メモリ１４に記憶することは、電話番号が不変のデータではなく、個人で使用されるケースの多いデータであることから、不可能である。従って、前記電話番号データに対応する位置データが存在しないケースが考えられる。
【００３５】
そこで、前記電話番号データに対応する位置データが地図情報メモリ１４に存在しない場合（ステップＳ３にてＮＯ）、ＣＰＵ１７は、ＲＯＭ１８に記憶されている電話番号データ変更プログラムに従って、前記電話番号データ中の加入者番号の数値を変更する（ステップＳ４）。そして、その結果をＲＡＭ１９に記憶する。加入者番号データの数値の変更方法としては、加入者番号データの何れかの桁について、数値を一つ増やすか、数値を一つ減らす方法や、加入者番号データの数値をランダムに変更すること等が考えられる。なお、加入者番号とは、電話番号より市外局番部分と市内局番部分とを除いた部分を指すものである。
【００３６】
ＣＰＵ１７は、加入者番号データの何れかの桁の数値を変更した電話番号データを得ると、この変更した電話番号データによる位置データの検索を開始する（ステップＳ２）。そして、ＣＰＵ１７は、変更された電話番号データに対応する位置データがあるか否かを調べる（ステップＳ３）。ここで、電話番号データを変更しても対応する位置データが存在しない場合には（ステップＳ３にてＮＯ）、変更された電話番号データ中の加入者番号データの数値の変更を再び行う（ステップＳ４）。なお、加入者番号データの数値の変更は、変更された電話番号データに対応する位置データが見つかるまで行う。
【００３７】
一方、リモコン１５によって入力された電話番号データ、又は、ＣＰＵ１７によって加入者番号データの数値を変更された電話番号データに対応する位置データが存在する場合には（ステップＳ３にてＹＥＳ）、ＣＰＵ１７は、これらの電話番号データに対応する位置データを地図情報メモリ１４より取得し、ＲＡＭ１９に記憶する（ステップＳ５）。また、ＣＰＵ１７は、取得した位置データをもとに、その周辺の地図を表示するのに必要なデータを地図情報メモリ１４より取得し、ディスプレイコントローラ２２に供給する。これにより、取得された位置データに該当する地点を含む地図を表示装置２８に表示する（ステップＳ６）。
【００３８】
そして、ＣＰＵ１７は、地図上に表示された地点で間違いないこと（目的地として設定する旨の指示入力がリモコン１５により行われたこと）を確認して、その地点を目的地に設定する（ステップＳ７）。このとき、ＣＰＵ１７は、ステップＳ５で取得した位置データを目的地データとして誘導経路メモリ２０に格納する。その後、リモコン１５の操作によって経路探索の指示が出されると、そのときの自車位置を出発地データとして誘導経路メモリ２０に格納する。そして、誘導経路メモリ２０に格納された出発地と目的地との間を結ぶ走行経路を、ユーザにより指定された条件下で探索する。例えば、時間最短、距離最短、料金最小等の何れかの条件下でコストが最小となる誘導経路を探索して設定する。ＣＰＵ１７は更に、誘導経路メモリ２０に記憶された誘導経路のデータに基づいて、車両を目的地まで案内する処理を開始する（ステップＳ８）。
【００３９】
以上詳しく説明したように、本実施形態によれば、電話番号データを用いて目的地を検索する場合に、電話番号データに対応する位置データが存在しないときでも、電話番号データを構成する加入者番号データの何れかの桁の数値を変更することで、変更された電話番号データに対応する位置データを得て地図表示することができる。従って、電話番号と代表地点との関連付けを設定した特別なデータベースを用意することなく、代替地点の地図を表示することができる。また、電話番号データを変更する際に面倒な処理を行っていないので、電話番号データを利用して代替地点の位置データの検索を迅速に行うことができると共に、検索の際に記憶装置の使用容量を抑制することができる。
【００４０】
（第２の実施形態）
以下、本発明による第２実施形態を図面に基づいて説明する。図４は、第２の実施形態による目的地検索装置の構成例を示す機能ブロック図である。なお、第１の実施形態と同一の構成要素については、同一の符号を付し説明を一部省略する。
【００４１】
図４において、５は第１の記憶部（特許請求の範囲の記憶手段に該当する）であり、複数の位置データが電話番号データに関連付けてあらかじめ記憶されているものである。第１の記憶部５は、例えばＤＶＤ−ＲＯＭにより構成される。６は到着検出部（特許請求の範囲の到着検出手段に該当する）であり、所望の目的地に到着したことを検出するためのものである。この到着検出部６は、例えば、ユーザがリモコン１５等に設けられた目的地到着ボタンを押下したり、ユーザが自車のサイドブレーキを引いたり、車両が所定時間以上動かなかったりすること等により出力される到着信号を検出することによって、目的地への到着を検出する。
【００４２】
７は第２の記憶部（特許請求の範囲の第２の記憶手段に該当する）であり、前記到着検出部６により所望の目的地への到着が検出されたときに、電話番号入力部１によって入力された電話番号データ（対応する位置データを持たない）に関連付けて前記所望の目的地に該当する位置データを記憶するためのものである。第２の記憶部７は、例えば不揮発性のメモリにより構成される。
【００４３】
第２の実施形態において、制御部４は、電話番号入力部１によって入力された電話番号データに基づいて、その電話番号データに対応する位置データを第１の記憶部５及び第２の記憶部７から抽出する処理を行う。
【００４４】
この制御部４は、電話番号入力部１によって入力された電話番号データに対応する位置データが第１の記憶部５にも第２の記憶部７にも存在しない場合に、入力された電話番号データを構成する加入者番号データの何れかの桁の数値を変更することで、電話番号データを変更する。そして、変更された電話番号データに対応する位置データが存在するかを調べ、位置データが存在する場合には、その位置データを第１の記憶部５又は第２の記憶部７より抽出する。
【００４５】
また、制御部４は、変更された電話番号データに対応する位置データが存在しない場合に、加入者番号データの何れかの桁の数値を再度変更し、別の変更された電話番号データを得る。そして、制御部４は、別の変更された電話番号データに対応する位置データが存在するかを調べる。このように、制御部４では、変更された電話番号データに対応する位置データが第１の記憶部５及び第２の記憶部位７の何れかに見つかるまで、前述した処理を繰り返し行う。
【００４６】
図５は、本実施形態による目的地検索装置を適用した車載用ナビゲーション装置の全体構成例を示すブロック図である。なお、第１の実施形態と同一の構成要素については、同一の符号を付し説明を一部省略する。図５において、ＤＶＤ−ＲＯＭ１１は、図４の第１の記憶部５に該当する。また、３２はユーザメモリであり、ユーザ等により新たに設定された種々の情報を記憶するもので、本実施形態のナビゲーション装置の電源をオフにした場合でも記憶内容が消去されない不揮発性のメモリ等によって構成される。このユーザメモリ３２は、図４の第２の記憶部７に該当する。３３は到着信号検出装置（図４の到着検出部６に該当する）であり、車両が目的地に到着したことを示す到着信号を検出する。
【００４７】
本実施形態において、ＣＰＵ１７は、ＲＯＭ１８に記憶されている電話番号対応位置データ抽出プログラムに従って、リモコン１５より入力された電話番号データに対応する位置データを地図情報メモリ１４及びユーザメモリ３２から抽出し目的地として設定する。また、入力された電話番号データに対応する位置データが抽出できない場合、ＣＰＵ１７は、ＲＯＭ１８に記憶されている電話番号データ変更プログラムに従って、リモコン１５より入力された電話番号データ中の加入者番号の数値を変更する。そして、その結果をＲＡＭ１９に記憶する。そして、ＣＰＵ１７は、ＲＯＭ１８に記憶されている電話番号対応位置データ抽出プログラムに従って、前記電話番号データ変更プログラムによって変更された電話番号データに対応する位置データを地図情報メモリ１４及びユーザメモリ３２から抽出し、これを仮の目的地として設定する。
【００４８】
また、前述のＣＰＵ１７は、ＲＯＭ１８に記憶されている誘導経路探索処理プログラムに従って、地図情報メモリ１４に格納された地図データを用いて、現在地から目的地（前記仮の目的地を含む）までを結ぶ最もコストが小さな誘導経路を探索し、探索した誘導経路に沿って車両を目的地まで案内する処理を行う。入力された電話番号データに対応する位置データが抽出できず、電話番号データを変更して仮の目的地を設定したとき、ＣＰＵ１７は、前記入力された電話番号データをＲＡＭ１９に一時的に格納する。
【００４９】
ユーザは、走行案内に従って仮の目的地に向かって走行するが、途中から案内に頼らず自力で本来の目的地（最初に入力された電話番号データに対応する地点）に向かうことになる。
【００５０】
そして、ＣＰＵ１７は、到着信号検出装置３３によって車両が真の目的地に到着したことが検出されると、そのとき位置測定装置１３により測定されている位置データを、ＲＡＭ１９に一時的に保存しておいた電話番号データ（元々は対応する位置データを持たない）に関連付けてユーザメモリ３２に記憶する。
【００５１】
図６は、第２の実施形態による目的地検索装置の動作及び目的地検索方法を示すフローチャートである。まず、ＣＰＵ１７は、リモコン１５の操作により電話番号データが入力されたか否かを調べる（ステップＳ１１）。電話番号データが入力されない場合（ステップＳ１１にてＮＯ）、ステップＳ１１の処理を繰り返す。
【００５２】
電話番号データが入力されると（ステップＳ１１にてＹＥＳ）、ＣＰＵ１７は、地図情報メモリ１４に格納された地図データ及びユーザメモリ３２に格納されたユーザデータを用いて、電話番号データをキーとして位置データの検索を行う（ステップＳ１２）。そして、入力された電話番号データに対応する位置データがあるか否かを調べる（ステップＳ１３）。
【００５３】
リモコン１５によって入力された電話番号データに対応する位置データが存在する場合には（ステップＳ１３にてＹＥＳ）、ＣＰＵ１７は、前記電話番号データに対応する位置データを地図情報メモリ１４又はユーザメモリ３２より取得し、ＲＡＭ１９に記憶する（ステップＳ１４）。また、ＣＰＵ１７は、取得した位置データをもとに、その周辺の地図を表示するのに必要なデータを地図情報メモリ１４より取得し、ディスプレイコントローラ２２に供給する。これにより、取得された位置データに該当する地点を含む地図を表示装置２８に表示する（ステップＳ１５）。
【００５４】
そして、ＣＰＵ１７は、地図上に表示された地点で間違いないこと（目的地として設定する旨の指示入力がリモコン１５により行われたこと）を確認して、その地点を目的地に設定する（ステップＳ１６）。このとき、ＣＰＵ１７は、ステップＳ１４で取得した位置データを目的地データとして誘導経路メモリ２０に格納する。その後、リモコン１５の操作によって経路探索の指示が出されると、そのときの自車位置を出発地データとして誘導経路メモリ２０に格納する。そして、誘導経路メモリ２０に格納された出発地と目的地との間を結ぶ走行経路を、ユーザにより指定された条件下で探索する。例えば、時間最短、距離最短、料金最小等の何れかの条件下でコストが最小となる誘導経路を探索して設定する。ＣＰＵ１７は更に、誘導経路メモリ２０に記憶された誘導経路のデータに基づいて、車両を目的地まで案内する処理を開始する（ステップＳ１７）。
【００５５】
一方、ステップＳ１１で入力された電話番号データに対応する位置データが地図情報メモリ１４及びユーザメモリ３２に存在しない場合（ステップＳ１３にてＮＯ）、ＣＰＵ１７は、その入力された電話番号データをＲＡＭ１９に格納すると共に、ＲＯＭ１８に記憶されている電話番号データ変更プログラムに従って、前記電話番号データ中の加入者番号データの数値を変更する（ステップＳ１８）。そして、その結果をＲＡＭ１９に記憶する。加入者番号データの数値の変更方法としては、加入者番号データの何れかの桁について、数値を一つ増やすか、数値を一つ減らす方法や、加入者番号データの数値をランダムに変更すること等が考えられる。
【００５６】
ＣＰＵ１７は、加入者番号データの何れかの桁の数値を変更した電話番号データを得ると、この変更した電話番号データによる位置データの検索を開始する（ステップＳ１９）。そして、ＣＰＵ１７は、変更された電話番号データに対応する位置データが地図情報メモリ１４及びユーザメモリ３２にあるか否かを調べる（ステップＳ２０）。ここで、電話番号データを変更しても対応する位置データが存在しない場合には（ステップＳ２０にてＮＯ）、変更された電話番号データ中の加入者番号データの数値の変更を再び行う（ステップＳ１８）。なお、加入者番号データの数値の変更は、変更された電話番号データに対応する位置データが見つかるまで行う。
【００５７】
そして、前記変更された電話番号データに対応する位置データが存在する場合には（ステップＳ２０にてＹＥＳ）、ＣＰＵ１７は、前記変更された電話番号データに対応する位置データを地図情報メモリ１４又はユーザメモリ３２より取得し、ＲＡＭ１９に記憶する（ステップＳ２１）。
【００５８】
また、ＣＰＵ１７は、取得した位置データをもとに、その周辺の地図を表示するのに必要なデータを地図情報メモリ１４より取得し、ディスプレイコントローラ２２に供給する。これにより、取得された位置データに該当する地点を含む地図を表示装置２８に表示する（ステップＳ２２）。
【００５９】
そして、ＣＰＵ１７は、地図上に表示された地点で間違いないこと（目的地として設定する旨の指示入力がリモコン１５により行われたこと）を確認して、その地点を代替目的地（仮の目的地）に設定する（ステップＳ２３）。このときＣＰＵ１７は、ステップＳ２１で取得した代替地点の位置データを誘導経路メモリ２０に目的地データとして格納する。その後、リモコン１５の操作によって経路探索の指示が出されると、そのときの自車位置を出発地データに設定して誘導経路メモリ２０に格納する。そして、誘導経路メモリ２０に格納された出発地と代替目的地との間を結ぶ走行経路を、ユーザにより指定された条件下で探索する。ＣＰＵ１７は更に、誘導経路メモリ２０に記憶された誘導経路のデータに基づいて、車両を代替目的地まで案内する処理を開始する（ステップＳ２４）。
【００６０】
ユーザは、代替目的地への案内をもとに自車を走行させるが、ある地点からは自力で真の目的地（リモコン１５によって入力された電話番号データによって得られるべき目的地）を目指さなければならない。そこで、ＣＰＵ１７は、到着信号検出装置３３が到着信号を検出したか否かを調べることにより、ユーザが真の目的地に到着したかを調べる（ステップＳ２５）。ユーザが真の目的地に到着していないと判断されたときには（ステップＳ２５にてＮＯ）、代替目的地への車両の案内が継続される（ステップＳ２４）。なお、車両の走行案内（ステップＳ２４）と、真の目的地への到着の調査（ステップＳ２５）とは、到着信号検出装置３２が真の目的地に到着したことを検出するまで繰り返される。
【００６１】
一方、ユーザが真の目的地に到着したと判断されたときには（ステップＳ２５にてＹＥＳ）、ステップＳ１１でリモコン１５によって入力された電話番号データ（ＲＡＭ１９に一時保存していたもの）に関連付けて、真の目的地に該当する位置データ（真の目的地への到着が検出されたときに位置測定装置１３により測定されているもの）をユーザメモリ３２へ記憶する（ステップＳ２６）。以降、ここに記憶されたデータは、ステップＳ１２，Ｓ１９における検索の際に利用される。
【００６２】
以上詳しく説明したように、本実施形態によれば、電話番号データを用いて目的地を検索する場合に、電話番号データに対応する位置データが存在しないときでも、電話番号データを構成する加入者番号データの何れかの桁の数値を変更することで、変更された電話番号データに対応する位置データを得て地図表示することができる。従って、電話番号と代替地点との関連付けを設定した特別なデータベースを用意することなく、代替地点の地図を表示することができる。また、電話番号データを変更する際に面倒な処理を行っていないので、電話番号データを利用して代替地点の位置データの検索を迅速に行うことができると共に、検索の際に記憶装置の使用容量を抑制することができる。
【００６３】
また、電話番号データが変更された場合に、入力された当初の電話番号データに関連付けて真の目的地に該当する位置データを記憶するので、次に同じ電話番号データが入力されたときには、その電話番号データに対応する真の目的地を迅速に検索して設定することができる。
【００６４】
なお、上記第１の実施形態及び第２の実施形態において、ＤＶＤ−ＲＯＭ１１に予め記憶されている位置データの他に、ユーザが任意に登録した地点の位置データを用いて目的地の検索を行うようにしても良い。例えば、ユーザは、リモコン１５により所望の地点と、これに対応する電話番号データとをユーザメモリに登録する。これにより、電話番号データに関連付けられた位置データを増やすことができる。また、実際に目的地へ行かなくても電話番号データに対応する位置データを登録することができる。
【００６５】
また、上記第２の実施形態において、入力された当初の電話番号データに関連付けて真の目的地に該当する位置データを記憶する装置としてユーザメモリ３２を使用しているが、これは不揮発性のメモリであれば良く、地図記録媒体としてハードディスクを使用したり、地図情報メモリ１４を不揮発性のメモリとしたりすることで、ユーザメモリ３２を不要とすることができる。また、上記第２の実施形態では、到着信号を検出する装置として到着信号検出装置３３を使用しているが、これをＣＰＵ１７で行っても良い。
【００６６】
その他、上記第１の実施形態及び第２の実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００６７】
本発明は、電話番号データを入力して目的地の検索を行うことが可能な車載用ナビゲーション装置などに有用である。
【図面の簡単な説明】
【００６８】
【図１】第１の実施形態による目的地検索装置の構成例を示す機能ブロック図である。
【図２】第１の実施形態の目的地検索装置を適用したナビゲーション装置の構成を示すブロック図である。
【図３】第１の実施形態による目的地検索装置の動作及び目的地検索方法を示すフローチャートである。
【図４】第２の実施形態による目的地検索装置の構成例を示す機能ブロック図である。
【図５】第２の実施形態の目的地検索装置を適用したナビゲーション装置の構成を示すブロック図である。
【図６】第２の実施形態による目的地検索装置の動作及び目的地検索方法を示すフローチャートである。
【符号の説明】
【００６９】
１    電話番号入力部
２    表示部
３    記憶部
４    制御部
５    第１の記憶部
６    到着検出部
７    第２の記憶部
１１    ＤＶＤ−ＲＯＭ
１４    地図情報メモリ
１５    リモコン
１７    ＣＰＵ
１８    ＲＯＭ
１９    ＲＡＭ
２０    誘導経路メモリ
２４    メニュー発生部
２８    表示装置
３２    ユーザメモリ
３３    到着信号検出装置
【図１】
2005121381.tif 000003
【図２】
2005121381.tif 000004
【図３】
2005121381.tif 000005
【図４】
2005121381.tif 000006
【図５】
2005121381.tif 000007
【図６】
2005121381.tif 000008